(57)【要約】【課題】  経時的、経年的なゆがみが発生せず、寒冷地等においても気温低下により割れる虞がなく、用紙収容部分に雨が侵入することがない防雨型表示用紙保持ボードを提供する。【解決手段】  プラスチック成型品からなるボード本体１２にプラスチック成型品からなる透明カバー１３を開閉可能に取り付け、ボード本体１２と透明カバー１３との間に危険予知活動表等の表示用紙６を挟んで透明カバー１３を閉じることができるようにし、かつ透明カバー１３を閉じると、ボード本体１２および透明カバー１３に設けた溝部２３および突条３０が互いに嵌合するようにする。ボード本体１２にひさし部１５を設けて溝部２３と突条３０との嵌合部の上方を覆う。【選択図】    図１４
2005128457.tif 000002
【特許請求の範囲】
【請求項１】
表示用紙を外部から見えるようにして着脱可能に保持した状態で被取付施設に取り付けられることにより前記表示用紙を掲示する防雨型表示用紙保持ボードにおいて、
プラスチック成型品からなるボード本体と、このボード本体に設けられた、表示用紙を重ねられる平面状の用紙受け部と、前記ボード本体の上部に設けられたひさし部と、
前記用紙受け部を覆う状態となる閉状態および前記用紙受け部を開放する状態となる開状態の何れの状態も取り得るように、一端部を前記ボード本体の上部かつ前記ひさし部より下方の位置に横方向に延びる開閉軸を中心として開閉可能に取り付けられた、プラスチック成型品からなる透明カバーと、
前記ボード本体の表側または前記透明カバーの内面側に設けられた、前記透明カバーが閉状態のとき、前記開閉軸より下方かつ前記用紙受け部の上方において横方向に延びる横方向部並びに前記用紙受け部の左右側方において縦方向に延びる左側縦方向部および右側縦方向部を備えた溝部と、前記ボード本体の表側または前記透明カバーの内面側のうちの前記溝を設けられていない方に設けられた、前記透明カバーが閉状態とされたとき、前記溝部の前記横方向部、前記左側縦方向部および前記右側縦方向部にそれぞれ嵌合する横方向部、左側縦方向部および右側縦方向部を備えた突条と、
前記透明カバーを前記閉状態に維持する状態および前記閉状態から前記開状態への移行を許す状態を取り得る閉状態維持手段とを有してなり、
前記用紙受け部と前記透明カバーとの間に前記表示用紙が挟まれて保持されるようになっており、前記ひさし部は前記溝部の前記横方向部と前記突条の前記横方向部との嵌合部の上方を覆うように広がっている防雨型表示用紙保持ボード。
【請求項２】
前記ボード本体のうちの、前記用紙受け部の左右側方に一体的に設けられた側壁部と、これらの左右の側壁部と前記溝部の前記左側および右側縦方向部との間にそれぞれ設けられた排水溝をさらに有してなる請求項１記載の防雨型表示用紙保持ボード。
【請求項３】
前記左右の側壁部に、該側壁部の前端部から左右外向きにそれぞれ突出するように一体的に形成された張り出し部をさらに有する前記請求項２に記載の防雨型表示用紙保持ボード。
【請求項４】
前記閉状態維持手段は、前記ボード本体または前記透明カバーに設けられたフックと、前記ボード本体または透明カバーのうちの前記フックを設けられていない方の部材に設けられたフック係合部とを有してなり、前記透明カバーが前記閉状態とされると、前記フックが前記フック係合部に係合して前記透明カバーを前記閉状態に維持するようになる一方、この状態において前記フックを所定の方向に弾性変形すると前記係合状態を解除できるようになっている請求項１乃至３のいずれかに記載の防雨型表示用紙保持ボード。
【発明の詳細な説明】
【技術分野】
【０００１】
本発明は、建設・土木の工事現場、工場等において、危険予知活動表等の表示用紙を外部から見えるようにして着脱可能に保持した状態で被取付施設に取り付けられることにより前記表示用紙を掲示する防雨型表示用紙保持ボードに関する。
【背景技術】
【０００２】
図１は、従来のこの種の防雨型表示用紙保持ボード１を示している。これを説明すると、防雨型表示用紙保持ボード１は、ボード本体２と、透明ビニールカバー３と、透明ビニールポケット４とを有してなる。前記ボード本体２は段ボール芯板（図示せず）を塩化ビニール製のフィルムないしはシートをウェルダー加工により縫製した袋状物２ａに収容してなり、上端部に該ボード本体２を掲示板等の被取付施設（図示せず）に吊り下げるために使用するハトメ穴５を設けられている。前記透明ビニールカバー３は、フィルムないしはシート状をなしていて、その上端部をボード本体２の上端部付近にウェルダー加工により縫製されており、ボード本体２に対して開閉できるようになっている。前記透明ビニールポケット４は、ボード本体の下部表側に設けられている。
【０００３】
図２に例示されるような危険予知活動表の表示用紙６を表示用紙保持ボード１に保持させる際には、透明ビニールカバー３を開いた状態で表示用紙６の下端部を透明ビニールポケット４に挿入してから、透明ビニールカバー３を閉じ、該カバー３の内面と透明ビニールポケット４の外面に取り付けられた面ファスナー７，８を互いに係合して透明ビニールカバー３を閉状態に維持するようになっている。そして、このようにして危険予知活動表の表示用紙６を保持させた表示用紙保持ボード１を掲示板等の被取付施設にハトメ穴５等を利用して取り付け、危険予知活動表を被取付施設に表示する。
【０００４】
図１の従来例では設けられていないが、外部側方からボード本体２と透明ビニールカバー３との間を通じて内部に雨が侵入しないようにするため、ボード本体と透明ビニールカバー３の側方間にスライダー式ファスナーを設けたものも従来あった。
【０００５】
なお、出願人が知っている先行技術は上に説明したものであり、文献公知発明に係るものではないので、先行技術文献情報はない。
【発明の開示】
【発明が解決しようとする課題】
【０００６】
前記従来の防雨型表示用紙保持ボード１においては、ボード本体２が段ボール芯板を塩化ビニール製のシートないしはフィルムを縫製した袋状物２ａに収容してなるため、経時的にボード本体がゆがんで来て、体裁が悪くなるとともに、危険予知活動表が見にくくなるという問題があった。
【０００７】
また、塩化ビニール製のフィルムないしはシートからなる袋状物２ａを使用しているため、寒冷地等においては、気温低下により袋状物２ａが硬くなって割れることがあるという問題もあった。
【０００８】
本発明は、このような従来の事情に鑑みてなされたもので、本発明の一つの目的は、経時的、経年的なゆがみが発生することのない防雨型表示用紙保持ボードを提供することにある。
【０００９】
本発明の他の目的は、寒冷地等においても、気温低下により割れる虞のない防雨型表示用紙保持ボードを提供することにある。
【００１０】
本発明の他の目的は、用紙収容部分に雨が侵入することのない防雨型表示用紙保持ボードを提供することにある。
【００１１】
本発明のさらに他の目的は、以下の説明から明らかになろう。
【課題を解決するための手段】
【００１２】
本発明による防雨型表示用紙保持ボードは、表示用紙を外部から見えるようにして着脱可能に保持した状態で被取付施設に取り付けられることにより前記表示用紙を掲示する防雨型表示用紙保持ボードにおいて、
プラスチック成型品からなるボード本体と、このボード本体に設けられた、表示用紙を重ねられる平面状の用紙受け部と、前記ボード本体の上部に設けられたひさし部と、
前記用紙受け部を覆う状態となる閉状態および前記用紙受け部を開放する状態となる開状態の何れの状態も取り得るように、一端部を前記ボード本体の上部かつ前記ひさし部より下方の位置に横方向に延びる開閉軸を中心として開閉可能に取り付けられた、プラスチック成型品からなる透明カバーと、
前記ボード本体の表側または前記透明カバーの内面側に設けられた、前記透明カバーが閉状態のとき、前記開閉軸より下方かつ前記用紙受け部の上方において横方向に延びる横方向部並びに前記用紙受け部の左右側方において縦方向に延びる左側縦方向部および右側縦方向部を備えた溝部と、前記ボード本体の表側または前記透明カバーの内面側のうちの前記溝を設けられていない方に設けられた、前記透明カバーが閉状態とされたとき、前記溝部の前記横方向部、前記左側縦方向部および前記右側縦方向部にそれぞれ嵌合する横方向部、左側縦方向部および右側縦方向部を備えた突条と、
前記透明カバーを前記閉状態に維持する状態および前記閉状態から前記開状態への移行を許す状態を取り得る閉状態維持手段とを有してなり、
前記用紙受け部と前記透明カバーとの間に前記表示用紙が挟まれて保持されるようになっており、前記ひさし部は前記溝部の前記横方向部と前記突条の前記横方向部との嵌合部の上方を覆うように広がっているものである。
【００１３】
本発明の防雨型表示用紙保持ボードにおいては、危険予知活動表等の表示用紙を用紙受け部と透明カバーとの間に挟むようにして透明カバーを閉じ、閉状態維持手段により透明カバーを閉じた状態に維持することにより、表示用紙を外部から見える状態で保持できる。そして、この状態でこの保持ボードを掲示板等の被取付施設に取り付けることにより、表示用紙を掲示することができる。
【００１４】
この防雨型表示用紙保持ボードにおいては、ボード本体および透明カバーがプラスチック成型品からなるため、長く使用しても、経時的、経年的なゆがみが発生し、体裁が悪くなったり、表示用紙が見にくくなることがない。また、寒冷地等においても、気温低下により硬くなって割れる虞もない。
【００１５】
さらに、前記ボード本体の表側および前記透明カバーの内面側に、用紙受け部の周囲に配される横方向部および縦方向部を有する溝部および突条が設けられ、透明カバーが閉状態とされたとき、前記溝部と突条とが互いに嵌合されるようになっているとともに、ボード本体にひさし部が設けられ、前記溝部の横方向部と突条の横方向部との嵌合部の上方を覆うように広がっているので、用紙収容部分への雨の侵入を防止することができる。
【００１６】
なお、前記ひさし部がない場合は、上からの雨の圧力により、用紙受け部の上方における前記溝部と突条との嵌合部を通して、表示用紙が収容されている用紙受け部と透明カバーとの間にまで雨が侵入してしまうという不都合が生じてしまう。
【００１７】
また、ボード本体のうちの、用紙受け部の左右両側に側壁部を設けるとともに、これらの側壁部と溝部の左側および右側縦方向部との間に排水溝を設ければ、前記側壁部の存在によりボード本体の剛性ひいては平面度を高めることができると同時に、横方向からの雨の水は左右の排水溝を通って排出されるようにし、用紙収容部分への雨の侵入をより確実に防止することができる。
【００１８】
さらに、左右の側壁部にこれらの側壁部の前端部からそれぞれ左右方向外側に突出する張り出し部を一体的に形成すれば、より一層ボード本体の剛性ひいては平面度を高めるとともに、防雨型表示用紙保持ボードを手で持ちやすくし、かつ透明カバーの開閉を容易にすることができる。
【発明の効果】
【００１９】
本発明の防雨型表示用紙保持ボードは、長く使用しても、経時的、経年的なゆがみが発生し、体裁が悪くなったり、表示用紙が見にくくなることがない。また、寒冷地等においても、気温低下により硬くなって割れる虞がない。また、用紙収容部分への雨の侵入を防止することができる。
【発明を実施するための最良の形態】
【００２０】
以下、本発明を図面に示す実施例に基づいて説明する。
【実施例】
【００２１】
図３〜２３は本発明の一実施例を示している。本実施例において、防雨型表示用紙保持ボード１１は、図３および１４等によく示されるように、ボード本体１２および透明カバー１３とを有してなる。
【００２２】
前記ボード本体１２は、ＡＢＳ樹脂等のプラスチック成型品からなり、比較的に硬質とされている。図１４，１７〜２１等によく示されるように、このボード本体１２の大部分は、危険予知活動表等の表示用紙６を重ねられる矩形かつ平面状の用紙受け部１４を構成している。前記ボード本体１２の上端部には、前方に突出するひさし部１５が一体的に形成されている。前記ボード本体１２の左右両端部には、側壁部１６が一体的に形成されている。これらの左右の側壁部１６の前端部には、張り出し部１７が一体的に形成されており、これらの張り出し部１７は側壁部１６の前端部からそれぞれ左右方向外側に突出している。
【００２３】
前記ボード本体１２の表側上部付近には、適当数の開閉軸支持突起１８が間隔を置いて一体的に形成されている。また、前記ボード本体１２の表側上部付近の左右両端部付近には、左右一対の引っ掛け用穴１９が設けられている。前記張り出し部１７のうちの、引っ掛け用穴１９の直上の部分には、ヒートン逃がし溝部２０が設けられている。
【００２４】
前記ボード本体１２のうちの、用紙受け部１４の周辺には、溝形成突条２１および２２が互いの間に狭い間隔を隔てて一体的に形成されており、これらの溝形成突条２１，２２間には溝部２３が形成されている。この溝部２３は、開閉軸支持突起１８より下方かつ用紙受け部１４の上方において横方向に延びる上側横方向部２３ａと、用紙受け部１４の左右側方において縦方向に延びる左側縦方向部および右側縦方向部２３ｂと、用紙受け部１４の下方において横方向に延びる下側横方向部２３ｃとを備えている。前記溝部２３の左側および右側縦方向部２３ｂと左右の側壁部１６との間には、それぞれ排水溝２４が設けられている。前記ボード本体１２の裏面側には、図４，１８，１９，２１に示されるように、永久磁石２５が取り付けられている。
【００２５】
図１３，１４，１６および２１等に示されるように、前記ボード本体１２の下端両端部付近には、後述する透明カバー１３のフック２６を係合される直線突起状のフック係合部２７が設けられている（フック２６およびフック係合部２７は、本実施例において閉状態維持手段を構成する）。なお、本実施例では、フック係合部２７を突起状としているが、本発明においては、フック係合部２７は必ずしも突起状でなくてもよく、穴、溝等のフック２６を係合できる形状であればよい。
【００２６】
前記透明カバー１３は、ＡＢＳ樹脂等のプラスチック成型品からなり、比較的に硬質で、全体に透明とされている。前記透明カバー１３の一辺には、適当数の開閉軸支持突起２８が間隔を置いて一体的に形成されている。これらの開閉軸支持突起２８およびボード本体１２の開閉軸支持突起１８には金属線材からなる開閉軸２９が挿通されて、ヒンジ構造を形成している。これにより透明カバー１３はボード本体１２に対して開閉軸２９を中心として回動可能とされ、図３等に示されるように用紙受け部１４を覆う状態となる閉状態と、図１４等に示されるように用紙受け部１４を開放する状態となる開状態との何れの状態も取り得るようにされている。前記透明カバー１３の内面側には、突条３０が設けられており、この突条３０は溝部２３の横方向部２３ａに対応する横方向部３０ａと、溝部２３の左側および右側縦方向部２３ｂにそれぞれ対応する左側および右側縦方向部３０ｂを有している。前記透明カバー１３の内面側の幅方向両端部付近には、前述したフック２６が一体的に設けられており、図３，５および１３等のように透明カバー１３が閉状態とされると、フック２６がフック係合部２７に係合して透明カバー１３を前記閉状態に維持するようになる一方、この状態においてフック２６を図１３の実線矢印の方向に押して弾性変形させると、前記係合状態を解除できるようになっている。
【００２７】
次に、本実施例の作用を使用方法とともに説明する。この防雨型表示用紙保持ボード１１においては、図１４に示されるように透明カバー１３を開けた状態で表示用紙６を用紙受け部１４に重ね，図３，９〜１３等に示されるように透明カバー１３を閉じる。すると、図５，１３および２３等に示されるようにフック２６がフック係合部２７に係合して透明カバー１３を閉状態に維持するようになるとともに、表示用紙６が用紙受け部１４と透明カバー１３との間に挟まれて外部から見える状態で表示用紙保持ボード１１に保持された状態となる（表示用紙６は透明カバー１３を通して外部から見える）。また、同時に、図９〜１２に示されるように、ボード本体１２の溝部２３の上側横方向部２３ａ、左側および右側縦方向部２３ｂに、透明カバー１３の突条３０の横方向部３０ａ、左側および右側縦方向部３０ｂが嵌合する。
【００２８】
このようにして表示用紙６を保持させた状態で、図１０のように表示用紙保持ボード１１を掲示板等の被取付施設３１に取り付けることにより、危険予知活動表を被取付施設３１上に表示することができる。図１０は、被取付施設３１にヒートン３２を取り付け、このヒートン３２に引っ掛け用穴１９を引っ掛けることにより、被取付施設３１にヒートン３２を介して表示用紙保持ボード１１を吊り下げ、該ボードが大略鉛直面内に広がる姿勢を取るようにしている。本実施例では、ひさし部１５にヒートン逃がし溝部２０が設けられているので、ヒートン３２がひさし部１５に干渉することがない。なお、被取付施設３１が、磁石が吸着する材質からなる場合は、永久磁石２５を被取付施設３１に吸着させることにより、表示用紙保持ボード１１を被取付施設３１に取り付けてもよい。
【００２９】
この防雨型表示用紙保持ボード１１においては、ボード本体１２および透明カバー１３がプラスチック成型品からなるため、長く使用しても、経時的、経年的なゆがみが発生し、体裁が悪くなったり、表示用紙６が見にくくなることがない。また、寒冷地等においても、気温低下により硬くなって割れる虞がない。
【００３０】
さらに、ボード本体１２に溝部２３が設けられる一方、透明カバー１３の内面側に突条３０が設けられ、透明カバー１３が閉状態とされたとき、溝部２３と突条３０とが互いに嵌合されるようになっているとともに、ボード本体１２のうちの、透明カバー１３の開閉軸２９より上方にひさし部１５が設けられ、溝部２３の上側横方向部２３ａと突条３０の横方向部３０ａとの嵌合部の上方を覆うように広がっているので、屋外の被取付施設３１に表示用紙保持ボード１１が取り付けられる場合も、用紙収容部分への雨の侵入を防止することができる。
【００３１】
なお、ひさし部１５がない場合は、上からの雨の圧力により、溝部２３の上側横方向部２３ａと突条３０の横方向部３０ａとの嵌合部を通して、表示用紙６が収容されている用紙受け部１４と透明カバー１３との間にまで雨が侵入してしまうという不都合が生じてしまう。
【００３２】
また、本実施例では、突条３０の左側および右側縦方向部３０ｂはボード本体１２の用紙受け部１４の上側部分までにしか延びておらず、突条３０は溝部２３のうちの左側および右側縦方向部２３ｂの下側部分および下側横方向部２３ｃには嵌合しないが、防雨に関してはこれで十分である。勿論、突条３０をさらに下方まで延ばし、溝部２３のうちの本実施例では嵌合していない部分にも嵌合させてもよいが、その場合には、製品全体の加工精度を高くしないと、透明カバー１３の開閉を円滑に行えなくなる虞がある。
【００３３】
また、本実施例においては、ボード本体１２のうちの、用紙受け部１４の左右両側に側壁部１６を設けるとともに、これらの側壁部１６と溝部２３の左側および右側縦方向部２３ｂとの間に排水溝２４を設けているので、側壁部１６の存在によりボード本体１２の剛性ひいては平面度を高めることができると同時に、横方向からの雨の水は左右の排水溝２４を通って下方に排出されるようにし、用紙収容部分への雨の侵入をより確実に防止することができる。
【００３４】
さらに、本実施例においては、左右の側壁部１６にこれらの側壁部１６の前端部からそれぞれ左右方向外側に突出する張り出し部１７が一体的に形成されているので、より一層、ボード本体１２の剛性ひいては平面度を高めるとともに、防雨型表示用紙保持ボード１１を手で持ちやすくし、かつ透明カバー１３の開閉を容易にすることができる。
【００３５】
表示用紙６を表示用紙保持ボード１１から取り去るときは、フック２６を図１３の実線矢印の方向に押して弾性変形させ、フック２６とフック係合部２７との係合を解除し、透明カバー１３を開ければ、簡単に表示用紙６を取り去ることができる。
【００３６】
なお、本発明の防雨型表示用紙保持ボード１１において保持対象とされる表示用紙６は、危険予知活動表に限られることはなく、種々の表示を行う表示用紙を対象とすることができる。
【００３７】
また、前記実施例においては、ボード本体１２に溝部２３、透明カバー１３に突条３０を設けているが、逆にボード本体１２に突条、透明カバー１３に溝部を設けてもよい。
【００３８】
また、前記実施例では、引っ掛け用穴１９および永久磁石２５を設けているが、本発明においてはいずれか一方のみを設けてもよいし、ヒートンおよび永久磁石以外の手段により表示用紙保持ボードを掲示板等の被取付施設に取り付けるようにしてもよい。
【産業上の利用可能性】
【００３９】
以上のように本発明による防雨型表示用紙保持ボードは、表示用紙を外部から見える状態で着脱可能に保持して被取付施設に取り付けられることにより前記表示用紙を掲示する防雨型表示用紙保持ボードとして有用である。
【図面の簡単な説明】
【００４０】
【図１】従来の防雨型表示用紙保持ボードを示す正面図である。
【図２】危険予知活動表の表示用紙の一例を示す正面図である。
【図３】閉状態における本発明の一実施例を示す表側斜視図である。
【図４】閉状態における前記実施例を示す裏側斜視図である。
【図５】図４のフック付近を拡大して示す拡大斜視図である。
【図６】閉状態における前記実施例を示す正面図である。
【図７】閉状態における前記実施例を示す平面図である。
【図８】閉状態における前記実施例を示す側面図である。
【図９】図６のＩＸ−ＩＸ線における断面図である。
【図１０】図６のＸ−Ｘ線における断面図である。
【図１１】図６のＸＩ−ＸＩ線における断面図である。
【図１２】図６のＸＩＩ−ＸＩＩ線における断面図である。
【図１３】図６のＸＩＩＩ−ＸＩＩＩ線における断面図である。
【図１４】開状態における前記実施例を示す斜視図である。
【図１５】図１５のヒンジ構造部左隅付近を拡大して示す拡大斜視図である。
【図１６】図１５のボード本体左下端部付近を拡大して示す拡大斜視図である。
【図１７】前記実施例におけるボード本体を示す正面図である。
【図１８】図１７のＸＶＩＩＩ−ＸＶＩＩＩ線における断面図である。
【図１９】図１７のＸＩＸ−ＸＩＸ線における断面図である。
【図２０】図１７のＸＸ−ＸＸ線における断面図である。
【図２１】図１７のＸＸＩ−ＸＸＩ線における断面図である。
【図２２】前記実施例における透明カバーを示す背面図である。
【図２３】前記実施例において表示用紙を保持するようにして透明カバーを閉じた状態を示す正面図である。
【符号の説明】
【００４１】
６    表示用紙
１１    防雨型表示用紙保持ボード
１２    ボード本体
１３    透明カバー
１４    用紙受け部
１５    ひさし部
１６    側壁部
１７    張り出し部
２３    溝部
２３ａ  溝部の上側横方向部
２３ｂ  溝部の左側および右側縦方向部
２４    排水溝
２６    フック（閉状態維持手段）
２７    フック係合合部（閉状態維持手段）
２９    開閉軸
３０    突条
３０ａ  突条の上側横方向部
３０ｂ  突条の左側および右側縦方向部
３１    被取付施設
【図１】
2005128457.tif 000003
【図２】
2005128457.tif 000004
【図３】
2005128457.tif 000005
【図４】
2005128457.tif 000006
【図５】
2005128457.tif 000007
【図６】
2005128457.tif 000008
【図７】
2005128457.tif 000009
【図８】
2005128457.tif 000010
【図９】
2005128457.tif 000011
【図１０】
2005128457.tif 000012
【図１１】
2005128457.tif 000013
【図１２】
2005128457.tif 000014
【図１３】
2005128457.tif 000015
【図１４】
2005128457.tif 000016
【図１５】
2005128457.tif 000017
【図１６】
2005128457.tif 000018
【図１７】
2005128457.tif 000019
【図１８】
2005128457.tif 000020
【図１９】
2005128457.tif 000021
【図２０】
2005128457.tif 000022
【図２１】
2005128457.tif 000023
【図２２】
2005128457.tif 000024
【図２３】
2005128457.tif 000025